(57)【要約】【課題】集塵袋及びサイクロン式集塵装置を簡単な構成で使い分けができる電気掃除機を提供することを課題とする。【解決手段】本体３内に電動送風機２及び塵埃を集塵する集塵室７とを有し、前記集塵室７を開閉するためのカバー３０を備えた電気掃除機１であって、前記集塵室７に係止部２３を設け、該係止部２３は、前記本体３の吸込口４から吸い込まれた空気を旋回させることにより、その空気に含まれる塵埃を遠心力で分離させて集塵できるサイクロン式集塵装置８と、前記本体３の吸込口４から吸い込まれた空気に含まれる塵埃を集塵できる集塵袋９とを選択的に装着できるようにした【選択図】        図１
2006068040.tif 000002
【特許請求の範囲】
【請求項１】
本体内に電動送風機及び塵埃を集塵する集塵室とを有し、前記集塵室を開閉するためのカバーを備えた電気掃除機であって、前記集塵室に係止部を設け、該係止部は、前記本体の吸込口から吸い込まれた空気を旋回させることにより、その空気に含まれる塵埃を遠心力で分離させて集塵できるサイクロン式集塵装置と、前記本体の吸込口から吸い込まれた空気に含まれる塵埃を集塵できる集塵袋とを選択的に装着できるようにしたことを特徴とする電気掃除機。
【請求項２】
前記サイクロン式集塵装置及び前記集塵袋に、同一形状の装着部を設け、該装着部は、前記係止部によって係止されることを特徴とする請求項１記載の電気掃除機。
【請求項３】
前記集塵室に前記サイクロン式集塵装置または前記集塵袋がいずれも装着されていない状態では、前記係止部が前記カバーの閉じ動作をできないようにしたことを特徴とする請求項１記載の電気掃除機。
【発明の詳細な説明】
【技術分野】
【０００１】
本発明は、電動送風機などによる吸引力により、空気に含まれる塵埃を集塵できる集塵装置を備えた電気掃除機に関する。
【背景技術】
【０００２】
一般的な電気掃除機は、電動送風機を備えた本体と、床面に沿って移動される吸込具と、この吸込具を本体に接続する接続ホース及び接続パイプとを備えており、本体内に使い捨てできる袋状の集塵袋が装着されている（たとえば、特許文献１参照）。
【０００３】
しかし、この種の電気掃除機では、使い捨ての集塵袋を用いるため不経済であるとともに、塵埃が溜まるにつれて吸込力が低下し、集塵効率が悪くなるといった問題がある。これらの問題を解決するために、吸込口から吸い込まれた空気を旋回させることにより、その空気に含まれる塵埃を遠心力で分離させて集塵できるサイクロン式集塵装置を備えた電気掃除機が知られている（たとえば、特許文献２参照）。
【０００４】
そして、最近では、普段の掃除には強力パワーが続くサイクロン式で、年末の大掃除などで大量にゴミが出る時、花粉シーズン、虫などを吸い取る時、育児や仕事で忙しくゴミを捨てるのは面倒という時には集塵袋と、生活シーンに合わせてサイクロン式、集塵袋の使い分けのできる電気掃除機が求められている。
【特許文献１】実公平５−２０２７９号公報
【特許文献２】特開２００３−３３９５９３号公報
【発明の開示】
【発明が解決しようとする課題】
【０００５】
この発明は、かかる背景のもとでなされたもので、集塵袋及びサイクロン式集塵装置を簡単な構成で使い分けができる電気掃除機を提供することである。
【課題を解決するための手段】
【０００６】
上記課題を解決するための第１の手段は、本体内に電動送風機及び塵埃を集塵する集塵室とを有し、前記集塵室を開閉するためのカバーを備えた電気掃除機であって、前記集塵室に係止部を設け、該係止部は、前記本体の吸込口から吸い込まれた空気を旋回させることにより、その空気に含まれる塵埃を遠心力で分離させて集塵できるサイクロン式集塵装置と、前記本体の吸込口から吸い込まれた空気に含まれる塵埃を集塵できる集塵袋とを選択的に装着できるようにしたことを特徴とする。
【０００７】
また、前記サイクロン式集塵装置及び前記集塵袋に、同一形状の装着部を設け、該装着部は、前記係止部によって係止されてもよい。
【０００８】
また、前記集塵室に前記サイクロン式集塵装置または前記集塵袋がいずれも装着されていない状態では、前記係止部が前記カバーの閉じ動作をできないようにしてもよい。
【発明の効果】
【０００９】
本発明の請求項１によれば、サイクロン式集塵装置また集塵袋を選択的に装着し、使い分けができるので、利便性が向上する。また、前記集塵室に、前記サイクロン式集塵装置もしくは前記集塵袋を装着する際には、装着するための部品点数を増やすことなく前記係止部を用いて２つの集塵装置を間単に装着できる等の効果を奏する。
【００１０】
本発明の請求項２によれば、前記装着部を同一形状とすることにより、前記集塵室に、前記サイクロン式集塵装置もしくは前記集塵袋を装着する際、前記係止部と前記装着部との設計管理を軽減できるとともに、前記サイクロン式集塵装置もしくは前記集塵袋をより確実に装着できる等の効果を奏する。
【００１１】
本発明の請求項３によれば、前記集塵室に前記サイクロン式集塵装置または前記集塵袋のいずれかが装着されている場合には、前記カバーを閉じることができるが、前記サイクロン式集塵装置または前記集塵袋がいずれも装着されていない場合には、前記係止部によって前記カバーを閉じることができない。したがって、前記サイクロン式集塵装置または前記集塵袋がいずれも装着されていない状態で電気掃除機の運転が開始されるのを防止できるので、利便性が向上する等の効果を奏する。
【発明を実施するための最良の形態】
【００１２】
（第１実施形態）
本発明の第１実施形態を図＊乃至図＊に基づいて説明する。
【００１３】
１は、電気掃除機で、該電気掃除機１は、電動送風機２を備えた本体３と、該本体３の前端部に形成された吸込口４に一端が差し込まれた接続ホース５とを備えている。該接続ホース５の他端には、円筒状の延長管（図示せず）が着脱自在に接続され、更に該延長管には、床用吸込具（図示せず）が着脱自在に接続できるようになっている。
【００１４】
６は、前記本体３の下部に複数設けられた車輪で、前記本体３を床面に沿って移動させることができるようになっている。
【００１５】
７は、前記電動送風機２の前方に設けられた集塵室で、該集塵室７には、前記吸込口４から吸い込まれた空気を旋回することにより、その空気に含まれる塵埃を遠心力で分離させて集塵するサイクロン式集塵装置８、もしくは前記吸込口４から吸い込まれた空気に含まれる塵埃を集塵する集塵袋９が装着できるようになっている。また、前記集塵室７の前面には、前記吸込口４に連通する略円形の開口が形成され、該開口１０は、鉛直面に対して若干上方を向くように、すなわち、上方に向かうにつれて前方側に傾くように形成されている。前記開口１０の周縁部には、略円環状のパッキン１１が取り付けられている。
【００１６】
前記サイクロン式集塵装置８は、図２に示すように樹脂製から成り、空気を旋回させることができる中空状のケーシング１２と、該ケーシン１２の後面に形成された排気口１３から排出される空気を通過させて、その空気に含まれる塵埃を捕獲するためのフィルタ１４と、該フィルタ１４の外周を取り囲んで保持するフィルタ保持部材１５とが備えられている。前記ケーシング１２内には、区画壁によって旋回流路１６が区画形成され、該旋回流路１６の終端部は、前記排気口１３の上流側に広がる集塵部１７に連通している。
【００１７】
前記ケーシング１２の前面には、入口管１８が突出形成されており、この入口管１８の入口１９には略矩形平板状の装着部２０が一体的に形成されている。この装着部２０は、前記集塵袋９の入口２１にも同一形状の装着部２２（台紙）が設けられている。より具体的には、前記サイクロン式集塵装置８の入口１９の上端から突出する前記装着部２０の長さＡ及び前記入口１９の下端から突出する前記装着部２０の長さＢと、前記集塵袋９の入口２１の上端から突出する前記装着部２２の長さＣ及び前記入口２１の下端から突出する前記装着部２２長さＤとは、略同じ長さに突出されているとともに、厚さも略同じ厚さになっている。
【００１８】
２３は、前記集塵室７の前端上部に左右方向に延びる回動軸２４を中心に回動可能に取り付けられ、前記サイクロン式集塵装置８もしくは前記集塵袋９を固定するための係止部である。該係止部２３は、左右方向に延びる基部２５と、該基部２５の後方に形成され、前記サイクロン式集塵装置９の装着部２０の上端縁、もしくは前記集塵袋９の装着部２２の上端縁を引っ掛けるための爪部２６と、前記基部２５から突出する操作部２７とが一体的に形成された構成となっており、ばねなどの弾性部材により、図３における時計回りに付勢されている。
【００１９】
２８は、前記集塵室７の底面の前端部に形成された位置決めリブで、該位置決めリブ２８は、前記サイクロン式集塵装置８もしくは前記集塵袋９を装着した場合に、それぞれの前記装着部２０、２２の下端縁が後方側にずれるのを防止できるように形成されている。
【００２０】
２９は、前記集塵室７の上方開口の全周縁と、前記集塵室７の後面とに取り付けられるパッキンである。該パッキン２９は、図４及び図５に示すように前記集塵室７の上方開口と後述するカバー３０とをシールするカバーシール部２９ａと、前記集塵室７の後面と前記サイクロン式集塵装置８のフィルタ保持部材１５の縁部とをシールするダストカップシール部２９ｂとが一体的に形成されている。従来の構成では、前記カバーシール部２９ａと前記ダストカップシール部２９ｂとは別体、すなわち、２部品としていたが、本実施例では、１部品で構成しているので、部品の削減と組立作業時における作業性を向上させることができる。
【００２１】
３０は、前記集塵室７を覆うカバーで、該カバー３０は、その後端部が前記本体３に対して回動可能に取り付けられており、前記カバー３０を回動させることにより前記集塵室を開閉できるようになっている。前記カバー３０の裏面の前方側には、前記本体３に対して左右方向に延びる位置決めリブ３１、前方シールリブ３２、当接リブ３３の３本のリブが形成され、後方側には、前記本体３に対して左右方向に延びる後方シールリブ３４が形成されている。
【００２２】
前記位置決めリブ３１は、前記カバー３０を閉じた状態において、前記吸込口４の上方に形成された突部３５に引っ掛かり、前記カバー３０の位置決めをしている。
【００２３】
前記前方シールリブ３２は、前記カバー３０を閉じた状態において、前記パッキン２９のカバーシール部２９ａを押圧し、前記集塵室７の上方開口と前記カバー３０との隙間をシールできるようにしている。
【００２４】
前記当接リブ３３は、図３に示すように前記集塵室７に前記サイクロン式集塵装置８または前記集塵袋９がいずれも装着されていない状態では、前記係止部２３の操作部２７に当接するため、前記カバー３０を閉じることができないようになっている。したがって、前記集塵室７に前記サイクロン式集塵装置８または前記集塵袋９がいずれも装着されていない状態で前記電動送風機２の運転が開始されるのを防止できる。
【００２５】
前記後方シールリブ３４は、前記集塵室７に前記サイクロン式集塵装置８が装着された状態において、前記パッキン２９のダストカップシール部２９ｂを押圧し、前記集塵室７の後面と前記サイクロン式集塵装置８のフィルタ保持部材１５の縁部とをシールできるようにしている。
【００２６】
上記構成において、前記集塵室７に前記サイクロン式集塵装置８を装着する場合には、図６に示すように、まず、前記操作部２７を前方に引いて、前記係止部２３を反時計回りに回動させ、前記サイクロン式集塵装置８を上面開口を介して前記集塵室７内に挿入し、前記装着部２０の下端縁を前記位置決めリブ２８の前方側に当接させた後、前記操作部２７に加える力を解除する。力が解除されると、前記係止部２３は、時計回りに回動するため、前記爪部２６が前記装着部２０の上端縁を押さえる。その結果、前記爪部２６から受ける前方側の力によって、前記装着部２０が前記パッキン１１に押さえ付けられ、前記装着部２０の前面における入口１９の周縁部が前記パッキン１１に押圧されることにより、前記開口１０と前記入口１９との隙間がシールされる。
【００２７】
前記集塵室７への装着作業が終わると、前記カバー３０を閉じ、前記サイクロン式集塵装置８を装着した状態で前記電気掃除機１を運転（電動送風機２を駆動）させると、前記ケーシング１２内に前記入口１９から流入した空気に含まれる塵埃を遠心力で分離させて前記集塵部１７で集塵することができるとともに、塵埃が分離された空気を前記フィルタ１４を介して前記排気口１３側へと導くことができる。
【００２８】
次に、前記集塵室７に前記集塵袋９を装着する場合には、図７に示すように、前記サイクロン式集塵装置８と同様、まず、前記操作部２７を前方に引いて、前記係止部２３を反時計回りに回動させ、前記集塵袋９を上面開口を介して前記集塵室７内に挿入し、前記装着部２２の下端縁を前記位置決めリブ２８の前方側に当接させた後、前記操作部２７に加える力を解除する。力が解除されると、前記係止部２３は、時計回りに回動するため、前記爪部２６が前記装着部２２の上端縁を押さえる。その結果、前記爪部２６から受ける前方側の力によって、前記装着部２２が前記パッキン１１に押さえ付けられ、前記装着部２２の前面における入口２１の周縁部が前記パッキン１１に押圧されることにより、前記開口１０と前記入口２１との隙間がシールされる。
【００２９】
前記集塵室７への装着作業が終わると、図８に示すように前記カバー３０を閉じ、前記集塵袋９を装着した状態で前記電気掃除機１を運転（電動送風機２を駆動）させると、前記吸込口４から吸い込まれた空気は、前記開口１０から前記入口２１を介して前記集塵袋９内に導かれる。そして、集塵袋９を通過する際に、その空気に含まれる塵埃を捕獲することができる。
【００３０】
上記の電気掃除機１は、前記吸込口４から吸い込まれた空気を旋回させることにより、その空気に含まれる塵埃を遠心力で分離させて捕獲するための前記サイクロン式集塵装置８と、使い捨てができる前記集塵袋９とを、簡単な構成で選択的に装着して使い分けができるので、使用者の利便性を向上させることができる。
【００３１】
また、前記サイクロン式集塵装置８の装着部２０と前記集塵袋９の装着部２２とを同一形状（入口１９、２１からの突出長さ及び厚みを略同じ）にしているので、前記係止部２３、前記位置決めリブ２８を共用で使用できるため、設計管理の軽減を図ることができる。
【００３２】
また、前記サイクロン式集塵装置８または前記集塵袋９がいずれも装着されていない状態では、前記電気掃除機１の運転が開始されるのを防止できるので、利便性を向上させることができる。
【図面の簡単な説明】
【００３３】
【図１】本発明の実施の形態を示す電気掃除機の側断面図である。
【図２】同電気掃除機に装着されるサイクロン式集塵装置の側断面図である。
【図３】同電気掃除機にサイクロン式集塵装置または集塵袋がいずれも装着されていない状態を示す側断面図である。
【図４】同電気掃除機に装着されるパッキンの側面図である。
【図５】同電気掃除機に装着されるパッキンの前面図である。
【図６】同電気掃除機にサイクロン式集塵装置を装着する状態を示す側断面図である。
【図７】同電気掃除機に集塵袋を装着する状態を示す側断面図である。
【図８】同電気掃除機に集塵袋を装着した状態を示す側断面図である。
【符号の説明】
【００３４】
３        本体
２        電動送風機
７        集塵室
３０      カバー
２３      係止部
４        吸込口
８        サイクロン式集塵装置
９        集塵袋
２０      装着部（サイクロン式集塵装置）
２２      装着部（集塵袋）
【図１】
2006068040.tif 000003
【図２】
2006068040.tif 000004
【図３】
2006068040.tif 000005
【図４】
2006068040.tif 000006
【図５】
2006068040.tif 000007
【図６】
2006068040.tif 000008
【図７】
2006068040.tif 000009
【図８】
2006068040.tif 000010